(57)【要約】      （修正有）【課題】加齢によるヒップ形状の略４角板状変形を滑らかな丸みを帯びるように整形するボトム下着を提供する。【解決手段】ショーツＳのクロッチ部２０の後辺２３に続いて、引張応力の強い帯状のヒップ押上バンド５２を設ける。この押上バンド５２は後辺５２ａが山形状でかつ略円弧形に形成されているので、ヒップの底面に当接して略球面状になり、ヒップを持上げて立体的に丸く整形することができる。【選択図】図３
0003222662.tif 000002
【実用新案登録請求の範囲】
【請求項１】
前身頃とクロッチ部及び後身頃を備えたボトム下着において、前記クロッチ部の後身頃側後辺に続いて、後身頃の横方向に帯状に延びるヒップ押上バンドが設けられ、このヒップ押上げバンドはクロッチ部の縦方向中心に対して対称の山形状でその後身頃側後辺はそれぞれ略円弧状に弯曲していることを特徴とするボトム下着。
【請求項２】
前記押上バンドの両端辺はそれぞれ略円弧状に弯曲している請求項１に記載のボトム下着。
【請求項３】
前記押上バンドのクロッチ部側前辺は全体として略円弧状である請求項１または２に記載のボトム下着。
【請求項４】
前記押上バンドの幅は中心の位置で約３ｃｍ〜８ｃｍ、横方向の張設範囲は約１２ｃｍ〜２４ｃｍである請求項１〜３のいずれかに記載のボトム下着。
【請求項５】
前記押上バンドの中央からボトム下着の履口近辺まで縦方向に延びる弾性帯が設けられた請求項１〜４のいずれかに記載のボトム下着。
【考案の詳細な説明】
【技術分野】
【０００１】
この考案は、ショーツ、ショートパンツ、ロングパンツ、スパッツ等のボトム下着に関する。
【背景技術】
【０００２】
従来からこの種のボトム下着において、ヒップアップ効果を高めるため、例えば特許文献１に記載されているように、ヒップの中心線から両側のふくらみの上下線に沿うような略エ字状のヒップ引上部が設けられている。
【０００３】
このようなヒップ引上部は、ヒップの垂れ下りを防止するのが主たる目的であるが、上記のようなヒップ引上部の場合、エ字状引上部の下端部に帯状のヒップ持上部を設けてヒップを持ち上げ整形効果を上げるようにしている。しかしながら、このヒップ持上部は、ほぼ横方向に直線状であって、ヒップの下端部を下から支持する作用はあっても、ヒップに滑らかな丸みを帯びさせる効果は期待できない。特に加齢が進むと、図８の破線で示すように、ヒップＨを後面から見た場合、下端面がほぼ水平に、特に中央部寄りに垂下する。また、横方向から見ると、略Ｃ字形状からＬ字形状に変化する。即ちヒップ全体として略４角板状に変形する傾向がある。
【先行技術文献】
【特許文献】
【０００４】
【特許文献１】実開平７−２８９０２号公報
【考案の概要】
【考案が解決しようとする課題】
【０００５】
そこで、この考案の課題は、上述のように略４角板状のヒップを滑らかな丸みを帯びるように整形しようとすることである。
【課題を解決するための手段】
【０００６】
上記の課題を解決するために、この考案は、前身頃とクロッチ部及び後身頃を備えたボトム下着において、前記クロッチ部の後身頃側後辺に続いて、後身頃の横方向に帯状に延びるヒップ押上バンドが設けられ、このヒップ押上バンドはクロッチ部の縦方向中心に対して対称の山形状でその後身頃側後辺はそれぞれ略円弧状に弯曲している構成を採用したのである。
【０００７】
前記押上バンドの両端辺もそれぞれ略円弧状にしておくのが好ましい。また押上バンドのクロッチ部側前辺も全体として円弧状にしておく。この押上バンドの幅は、中心の位置で約３ｃｍ〜８ｃｍ、横方向の張設範囲は、約１２ｃｍ〜２４ｃｍが好ましい。さらに、前記押上バンドの中央からボトム下着の履口近辺まで縦方向に延びる弾性帯を設けておくのがよい。
【考案の効果】
【０００８】
この考案によれば、以上のように、山形状のヒップ押上バンドを設けたので、４角板状のヒップを押上げて立体的に丸みをおびた形状に整形することができる。特にヒップ押上バンドのヒップ下面に当接する辺縁を略円弧状にしておくことによって、押上バンドを滑らかな球面状に変形させることができ、丸みをおびたヒップに整形する効果を高めることができる。
【図面の簡単な説明】
【０００９】
【図１】ショーツの立体裁断の一実施形態を示す平面図、
【図２】同上によって形成したショーツの正面図、
【図３】同上によって形成したショーツの後面図、
【図４】ヒップ押上バンドの詳細を示す拡大平面図、
【図５】ショーツの立体裁断の他の実施形態を示す平面図、
【図６】同上によって形成したショーツの正面図、
【図７】同上によって形成したショーツの後面図、
【図８】（Ａ）はヒップの後面図、（Ｂ）はヒップの側面図である。
【考案を実施するための形態】
【００１０】
以下、この考案の実施形態を図１乃至図７に基づいて説明する。図１は、この考案のショーツを立体裁断によって形成する実施形態を示す。図示のように、裁断された布地片は、前身頃１０、クロッチ部２０、後身頃３０、脚周部４０を含んでいる。前記前身頃１０は略６角形状で、上辺１１はショーツの履口の前辺を形成し、上辺１１の両端から斜め外側に延びる外側辺１２、１２と、この外側辺１２、１２の末端から斜め内側に延びる内側辺１３、１３がそれぞれ形成され、前身頃１０の下辺１４に至っている。前記クロッチ部２０は全体としてバチ（撥）形をしており、その前辺２１は前記前身頃１０の下辺１４に対応し、前辺２１の両端から弓状に弯曲した側辺２２、２２が延びて略円弧状の後辺２３に至っている。前記後身頃３０は、ヒップの大部分を被覆する後身頃本体３１と、ショーツの履口後周部３２より成る。そして、履口後周部３２の端縁３３、３３は前記前身頃１０の外側辺１２、１２と対応し、側縁３４はショーツの履口１１ａ（図２）を形成する。後身頃本体３１は、全体として略扇状に拡がり、上辺中央部に前記クロッチ部２０の円弧状後辺２３に対応する略円弧状凹所３５が形成され、この凹所３５の両端から外側に傾斜する傾斜辺３６、３６が設けられ、さらに略弓状の外周辺３７、３７に続いている。この外周辺３７、３７は中央で合致して双丘状になっており、前記履口後周部３２の前縁３８、３８は、前記双丘形状に対応する山形に形成されている。前記脚周部４０、４０は、細長い帯状体であって、両端辺４１と４２が接合されて輪状になり、側辺４３は後述するショーツ本体に接合され、外側辺はフリーの開口縁４４となる。
【００１１】
前記前身頃１０には、破線で示すように、上辺１１から外側辺１２、１２に至る全面に、引張応力の強いパワーネット等から成る腹部押圧シート５１が設けられている。同様に、後身頃本体３１の内側部分に、パワーネット等から成るヒップ押上バンド５２が設けられている。このヒップ押上バンド５２は、全体として後身頃本体３１の横方向に帯状に延びており、ヒップの下面にほぼ当接する長さと幅を有する。
【００１２】
前記後身頃本体３１及び履口後周部３２は、２ピースから成り、中央部で接合され、この中央部を縦方向に弾性帯６１が固着される。なお後述するが、図示では弾性帯６１は断続して画かれているが、実際のショーツを形成する際には一本の連続した弾性帯６１が固着される。
【００１３】
前記前身頃１０等のショーツを形成する布地片の材料は、スパンデックス（商標）等の弾性糸の編成布が好ましいが、その他の織布やシートであってもよい。また前記履口後周部３２は、弾性帯６１の押上バンド５２に対する引張力を維持し、かつウエストを引締めるため、弾性布地を２枚重ねにして形成することができる。さらに、前記腹部押圧シート５１及びヒップ押上バンド５２は、パワーネット、ハーフネット、チュールネット、トリコネット等のほか、引張応力の大きい伸縮弾性を有する編織地であれば適宜用いることができる。また、前記弾性帯６１には、ゴム紐が適当であるが、勿論これに限らず相当する引張応力を有するものであればいずれでもよい。
【００１４】
図２及び図３は、前記前身頃１０、クロッチ部２０、後身頃３０及び脚周部４０を縫製して形成したショーツＳを示す。なお、図１に示す各布地片を以下に述べるように接合する手順は、実際の縫製手順を示すものではなく、説明の便宜上の手順を示すにすぎない。まず、後身頃本体３１及び履口後周部３２が２ピースの生地より成る場合は予め中央で接合しておく。また、前身頃１０及び後身頃本体３１に、それぞれ腹部押圧シート５１及びヒップ押上バンド５２を付着しておく。さらに、履口後周部３２の前縁３８、３８と後身頃本体３１の双丘状外周辺３７、３７を中心が一致するように沿わせて接合する。これによって後身頃３０が出来る。この後身頃３０の中心を通るように弾性帯６１を固着する。出来上った前身頃１０と後身頃３０に、クロッチ部２０の前辺２１と後辺２３をそれぞれの下辺１４と凹所３５に対応させて接合する。そして、履口後周部３２の両端縁３３、３３を前身頃１０の外側辺１２、１２に対応させて接合すると、輪状に開いた履口１１ａを有するショーツ本体が形成される。これの下部両側には、両脚を挿入するための開口がそれぞれ開放されている。この開口の周辺に沿って、前記脚周部４０、４０の側辺４３、４３を接合すると、開口縁４４、４４は脚挿入口４４ａ、４４ａ（図２）を形成し、ショーツＳが完成する。
【００１５】
図４に前記ヒップ押上バンド５２の配置を示す。押上バンド５２、５２は、弾性帯６１（またはクロッチ部２０）を中心として対称形になっており、いま中心をＣ、中心Ｃに対する直角線をＭ、押上バンド５２の上端を結ぶ直線をＡとしたとき、直角線Ｍと直線Ａとの∠αは、約５°〜２０°の範囲に設定されている。即ち帯状の押上バンド５２、５２は、それぞれ外端方向にゆるやかに下降するように両押上バンド５２、５２の後辺５２ａ、５２ａによって山形形状を形成するように配置されている。さらに山形形状の稜線をなす後辺５２ａ、５２ａは、それぞれ略円弧状に弯曲しており、端辺５２ｂ、５２ｂも同様にそれぞれ略円弧状に形成されている。なお、前辺５２ｃ、５２ｃは、前記クロッチ部２０の円弧状後辺２３に対応させて全体として略円弧状に形成されている。この押上バンド５２の幅Ｗは、中心Ｃの位置で約３ｃｍ〜８ｃｍ、横方向の張設長さＬは、片側で約６ｃｍ〜１２ｃｍ程度が好ましい。従って２Ｌは約１２ｃｍ〜２４ｃｍである。なお、幅Ｗは概略前記の範囲であればよく、突出部などは含まない。
【００１６】
図５は、脚挿入口がロングタイプであって、脚周部が後身頃３０と一体に形成された場合の立体裁断例を示している。図示の前身頃１０、クロッチ部２０、履口後周部３２は、図１の対応する各布地片と同形であって、各布地片の対応する部分には同一符号が付されている。なお、押上バンド５２は、その前辺５２ｃ、５２ｃの形状がわずかに異なるが、後辺５２ａ、５２ａは同一であって、作用効果に異なるところはない。
【００１７】
図５に示すように、後身頃本体３１は、破線より下部の領域を占め、それより上部は脚周部４０ａ、４０ａの領域である。従って、後身頃３０は、後身頃本体３１の領域と履口後周部３２より成る。
【００１８】
上記のように裁断された布地片を接合してショーツを形成する手順は、前述の図１について説明したところとほとんど異ならないが、まず、履口後周部３２の前縁３８、３８と後身頃本体３１の外周辺３７、３７を対応させて接合し、押圧シート５１、押上バンド５２、５２を貼り付けた後、弾性帯６１を固着する。そして、クロッチ部２０の前辺２１を前身頃１０の下辺１４に、クロッチ部２０の後辺２３を後身頃本体３１の凹所３５にそれぞれ接合する。さらに、履口後周部３２の両端縁３３、３３を前身頃１０の外側辺１２、１２に接合すると、履口１１ａ（図６、図７）が形成される。かくして前身頃１０の内側辺１３、１３とクロッチ部２０の側辺２２、２２（この内側辺１３と側辺２２は先の接合によって連続している）及び脚周部４０ａ、４０ａの外側辺４３ａ、４３ａと内側辺４２ａ、４２ａ並びに後身頃本体３１の外周辺３７、３７の一部は、未接合の状態で残っている。なお、脚周部４０ａの上端辺は、脚挿入口４４ａのフリーの開口縁４４となる。そこで、脚周部４０ａの内側辺４２ａ、４２ａと外側辺４３ａ、４３ａとを接合する。さらに、後身頃本体３１、３１と履口後周部３２、３２とを接合した後の残余の外周辺３７、３７に、前記前身頃１０の内側辺１３、１３とクロッチ部２０の側辺２２、２２を接合するとショーツＳが完成する。勿論、押上バンド５２、５２の張設位置及び範囲は、図４に説明した場合と同様である。
【００１９】
前述の図４で説明したように、ヒップ押上バンド５２、５２は、ゆるやかな山形形状を形成するように設計されているので、まず最初にショーツＳの着用を始めてショーツＳを引張り上げると共に、クロッチ部２０に続いて山形状の押上バンド５２、５２が垂下ったヒップＨの底面（図８）にぴったりと当接し、次いでショーツＳの履口１１ａをウエストまで引上げるに従って、押上バンド５２、５２がヒップＨを持上げて整形する。特に押上バンド５２、５２の後辺５２ａ、５２ａを略円弧状にしてあるので、ヒップ持上げの際に押上バンド５２、５２が伸縮して滑らかな球面状に変形し、ヒップＨを立体的に丸く整形することが出来る。また、押上バンド５２、５２の端辺５２ｂ、５２ｂも略弓形にしておくと、押上バンド５２、５２の滑らかな球面化にさらに効果的である。
【００２０】
上述の立体裁断による実施形態に示された前身頃１０等の各布地片の形状やサイズ、さらには布地片の数も、形成されるボトム下着の種類やデザイン等に応じて適宜選択することができる。例えば、履口後周部３２を後身頃本体３１と一体に形成してもよく、或は脚周部４０を省略することができる。また、立体裁断の手法ではなく、丸編機による筒形編地を用いることができる。その場合には、押圧シート５１や押上バンド５２に相当する編地部分をタック編やフロート編のような伸縮弾性力の強い編成方法によって形成すればよい。
【符号の説明】
【００２１】
１０  前身頃
１１  上辺
１１ａ  履口
１２  外側辺
１３  内側辺
１４  下辺
２０  クロッチ部
２１  前辺
２２  側辺
２３  後辺
３０  後身頃
３１  後身頃本体
３２  履口後周部
３３  端縁
３４  側縁
３５  凹所
３６  傾斜辺
３７  外周辺
３８  前縁
４０、４０ａ  脚周部
４１、４２  端辺
４２ａ  内側辺
４３  側辺
４３ａ  外側辺
４４  開口縁
４４ａ  脚挿入口
５１  押圧シート
５２  押上バンド
５２ａ  後辺
５２ｂ  端辺
５２ｃ  前辺
６１  弾性帯
Ａ  直線
Ｃ  中心
Ｌ  張設長さ
Ｈ  ヒップ
Ｍ  直角線
Ｓ  ショーツ
Ｗ  幅
α  角度
【図１】
0003222662.tif 000003
【図２】
0003222662.tif 000004
【図３】
0003222662.tif 000005
【図４】
0003222662.tif 000006
【図５】
0003222662.tif 000007
【図６】
0003222662.tif 000008
【図７】
0003222662.tif 000009
【図８】
0003222662.tif 000010